(57)【特許請求の範囲】
【請求項１】
第１の映像信号が１ライン期間分ずつ順次書き込まれるとともに、書き込まれた上記第１の映像信号の各ライン期間分が、上記第１の映像信号の１／２ライン期間に相当する時間内に読み出されて形成される第１の１／２ライン期間分の映像信号が順次間欠的に得られるラインメモリ部と、
第２の映像信号が連続する奇数フィールド期間分及び偶数フィールド期間分で成る１フレーム期間分ずつ順次書き込まれる状態がとられるとともに、書き込まれた上記第２の映像信号の各フレーム期間分に含まれるライン期間分についての、上記第１の映像信号における同期信号に同期したタイミングのもとにおける上記第１の映像信号の１／２ライン期間に相当する時間内の間欠的読出しが行われて、第２の１／２ライン期間分の映像信号が順次間欠的に得られるフレームメモリ部と、
上記ラインメモリ部から得られる第１の１／２ライン期間分の映像信号と上記フレームメモリ部から得られる第２の１／２ライン期間分の映像信号とを交互に取り出して、表示用映像信号を形成する信号選択部と、
上記第１の映像信号がノンインターレース信号であって上記第２の映像信号がインターレス信号であるとき、上記フレームメモリ部における上記第２の映像信号の各奇数フィールド期間分に含まれるライン期間分についての上記第１の映像信号の１／２ライン期間に相当する時間内の間欠的読出しが、上記第２の映像信号の当該奇数フィールド期間分が上記フレームメモリ部に書き込まれるフィールド期間もしくは次のフィールド期間において開始されるとともに、上記フレームメモリ部における上記第２の映像信号の各偶数フィールド期間分に含まれるライン期間分についての上記第１の映像信号の１／２ライン期間に相当する時間内の間欠的読出しが、上記第２の映像信号の当該偶数フィールド期間分が上記フレームメモリ部に書き込まれるフィールド期間もしくは次のフィールド期間において開始される状態となす書込み−読出しタイミング制御手段と、
を備えて構成される映像信号処理回路。
【請求項２】
上記フレームメモリ部における上記第２の映像信号の各フレーム期間分についての書込みを制御するフレームメモリ書込み制御信号を、上記フレームメモリ部に供給する第１のタイミング信号形成部と、上記フレームメモリ部における上記第２の映像信号の各フレーム期間分に含まれるライン期間分の読出しを制御するフレームメモリ読出し制御信号を、上記フレームメモリ部に供給する第２のタイミング信号形成部とを備え、上記書込み−読出しタイミング制御手段が上記第１及び第２のタイミング信号形成部によって形成されることを特徴とする請求項１記載の映像信号処理回路。
【請求項３】
上記第１の映像信号に含まれる同期信号を取り出す第１の同期信号分離部と上記第２の映像信号に含まれる同期信号を取り出す第２の同期信号分離部とを備え、上記第１のタイミング信号形成部が、上記フレームメモリ書込み制御信号を上記第２の同期信号分離部から得られる同期信号に同期した信号として形成し、上記第２のタイミング信号形成部が、上記フレームメモリ読出し制御信号を上記第１の同期信号分離部から得られる同期信号に同期した信号として形成することを特徴とする請求項２記載の映像信号処理回路。
【請求項４】
上記第２のタイミング信号形成部が、上記ラインメモリ部における上記第１の映像信号の各ライン期間分の書込み及び読出しを夫々制御するラインメモリ用書込み及び読出し制御信号を、上記ラインメモリ部に供給することを特徴とする請求項２または３記載の映像信号処理回路。
【請求項５】
上記フレームメモリ部における上記第２の映像信号の各フレーム期間分に含まれるライン期間分についての追越読出し状態の検出を行う追越状態検出部を備え、上記書込み−読出しタイミング制御手段が、上記追越状態検出部により上記追越読出し状態が検出されないとき、上記フレームメモリ部における上記第２の映像信号の各奇数フィールド期間分に含まれるライン期間分についての上記第１の映像信号の１／２ライン期間に相当する時間内の間欠的読出しが、上記第２の映像信号の当該奇数フィールド期間分が上記フレームメモリ部に書き込まれるフィールド期間において開始されるとともに、上記フレームメモリ部における上記第２の映像信号の各偶数フィールド期間分に含まれるライン期間分についての上記第１の映像信号の１／２ライン期間に相当する時間内の間欠的読出しが、上記第２の映像信号の当該偶数フィールド期間分が上記フレームメモリ部に書き込まれるフィールド期間において開始される状態となし、上記追越状態検出部により上記追越読出し状態が検出されるとき、上記フレームメモリ部における上記第２の映像信号の各奇数フィールド期間分に含まれるライン期間分についての上記第１の映像信号の１／２ライン期間に相当する時間内の間欠的読出しが、上記第２の映像信号の当該奇数フィールド期間分が上記フレームメモリ部に書き込まれるフィールド期間の次のフィールド期間において開始されるとともに、上記フレームメモリ部における上記第２の映像信号の各偶数フィールド期間分に含まれるライン期間分についての上記第１の映像信号の１／２ライン期間に相当する時間内の間欠的読出しが、上記第２の映像信号の当該偶数フィールド期間分が上記フレームメモリ部に書き込まれるフィールド期間の次のフィールド期間において開始される状態となすことを特徴とする請求項１記載の映像信号処理回路。
【請求項６】
第１の映像信号が１ライン期間分ずつ順次書き込まれるとともに、書き込まれた上記第１の映像信号の各ライン期間分が、上記第１の映像信号の１／２ライン期間に相当する時間内に読み出されて形成される第１の１／２ライン期間分の映像信号が順次間欠的に得られるラインメモリ部と、
第２の映像信号が連続する奇数フィールド期間分及び偶数フィールド期間分で成る１フレーム期間分ずつ順次書き込まれる状態がとられるとともに、書き込まれた上記第２の映像信号の各フレーム期間分に含まれるライン期間分についての、上記第１の映像信号における同期信号に同期したタイミングのもとにおける上記第１の映像信号の１／２ライン期間に相当する時間内の間欠的読出しが行われて、第２の１／２ライン期間分の映像信号が順次間欠的に得られるフレームメモリ部と、
上記ラインメモリ部から得られる第１の１／２ライン期間分の映像信号と上記フレームメモリ部から得られる第２の１／２ライン期間分の映像信号とを交互に取り出して、表示用映像信号を形成する信号選択部と、
該信号選択部から得られる表示用映像信号に応じて、上記第１の映像信号に基づく画像及び上記第２の映像信号に基づく画像の夫々に対応する二画面画像を表示する二画面画像表示部と、
上記第１の映像信号がノンインターレース信号であって上記第２の映像信号がインターレス信号であるとき、上記フレームメモリ部における上記第２の映像信号の各奇数フィールド期間分に含まれるライン期間分についての上記第１の映像信号の１／２ライン期間に相当する時間内の間欠的読出しが、上記第２の映像信号の当該奇数フィールド期間分が上記フレームメモリ部に書き込まれるフィールド期間もしくは次のフィールド期間において開始されるとともに、上記フレームメモリ部における上記第２の映像信号の各偶数フィールド期間分に含まれるライン期間分についての上記第１の映像信号の１／２ライン期間に相当する時間内の間欠的読出しが、上記第２の映像信号の当該偶数フィールド期間分が上記フレームメモリ部に書き込まれるフィールド期間もしくは次のフィールド期間において開始される状態となす書込み−読出しタイミング制御手段と、
を備えて構成される画像表示装置。
【請求項７】
上記フレームメモリ部における上記第２の映像信号の各フレーム期間分についての書込みを制御するフレームメモリ書込み制御信号を、上記フレームメモリ部に供給する第１のタイミング信号形成部と、上記フレームメモリ部における上記第２の映像信号の各フレーム期間分に含まれるライン期間分の読出しを制御するフレームメモリ読出し制御信号を、上記フレームメモリ部に供給する第２のタイミング信号形成部とを備え、上記書込み−読出しタイミング制御手段が上記第１及び第２のタイミング信号形成部によって形成されることを特徴とする請求項６記載の画像表示装置。
【請求項８】
上記第１の映像信号に含まれる同期信号を取り出す第１の同期信号分離部と上記第２の映像信号に含まれる同期信号を取り出す第２の同期信号分離部とを備え、上記第１のタイミング信号形成部が、上記フレームメモリ書込み制御信号を上記第２の同期信号分離部から得られる同期信号に同期した信号として形成し、上記第２のタイミング信号形成部が、上記フレームメモリ読出し制御信号を上記第１の同期信号分離部から得られる同期信号に同期した信号として形成することを特徴とする請求項７記載の画像表示装置。
【請求項９】
上記第２のタイミング信号形成部が、上記ラインメモリ部における上記第１の映像信号の各ライン期間分の書込み及び読出しを夫々制御するラインメモリ用書込み及び読出し制御信号を、上記ラインメモリ部に供給することを特徴とする請求項７または８記載の画像表示装置。
【請求項１０】
上記フレームメモリ部における上記第２の映像信号の各フレーム期間分に含まれるライン期間分についての追越読出し状態の検出を行う追越状態検出部を備え、上記書込み−読出しタイミング制御手段が、上記追越状態検出部により上記追越読出し状態が検出されないとき、上記フレームメモリ部における上記第２の映像信号の各奇数フィールド期間分に含まれるライン期間分についての上記第１の映像信号の１／２ライン期間に相当する時間内の間欠的読出しが、上記第２の映像信号の当該奇数フィールド期間分が上記フレームメモリ部に書き込まれるフィールド期間において開始されるとともに、上記フレームメモリ部における上記第２の映像信号の各偶数フィールド期間分に含まれるライン期間分についての上記第１の映像信号の１／２ライン期間に相当する時間内の間欠的読出しが、上記第２の映像信号の当該偶数フィールド期間分が上記フレームメモリ部に書き込まれるフィールド期間において開始される状態となし、上記追越状態検出部により上記追越読出し状態が検出されるとき、上記フレームメモリ部における上記第２の映像信号の各奇数フィールド期間分に含まれるライン期間分についての上記第１の映像信号の１／２ライン期間に相当する時間内の間欠的読出しが、上記第２の映像信号の当該奇数フィールド期間分が上記フレームメモリ部に書き込まれるフィールド期間の次のフィールド期間において開始されるとともに、上記フレームメモリ部における上記第２の映像信号の各偶数フィールド期間分に含まれるライン期間分についての上記第１の映像信号の１／２ライン期間に相当する時間内の間欠的読出しが、上記第２の映像信号の当該偶数フィールド期間分が上記フレームメモリ部に書き込まれるフィールド期間の次のフィールド期間において開始される状態となすことを特徴とする請求項６記載の画像表示装置。
【発明の詳細な説明】
【０００１】
【発明の属する技術分野】
本発明は、二つの独立した映像信号に基づき、それらの夫々があらわす画像の両方を表示するための表示用映像信号を得る映像信号処理回路、及び、二つの独立した映像信号の夫々があらわす画像を、一つの画像表示部の表示面上に、二画面画像として表示する画像表示装置に関する。
【０００２】
【従来の技術】
独立した二つの映像信号の夫々があらわす画像を、一つの画像表示装置を用いて、その画像表示面上に表示する二画面画像表示システムが、画像情報提供の多様化の一環として提案されている。このような二画面画像表示システムにあっては、例えば、画像表示装置として水平走査（ライン走査）と垂直走査（フィールド走査）とが行われる画像表示面を有したものが使用され、その画像表示面に、二つの映像信号の夫々があらわす画像の画面が、ライン走査方向、即ち、左右方向に相互隣接配置されるものとして形成される。
【０００３】
このように、画像表示装置の画像表示面において左右方向に二画面が相互隣接配置されて成る二画面画像の表示を行う場合、例えば、二画面の各々のライン走査方向の寸法が実質的に同等であり、従って、画像表示面の左半分において二つの映像信号のうちの一方である第１の映像信号があらわす画像が表示されるとともに、画像表示面の右半分において二つの映像信号のうちの他方である第２の映像信号があらわす画像が表示されるとして、画像表示装置に供給される表示用映像信号は、その各ライン期間分が、第１の映像信号の１ライン期間（１Ｈ）分を略１／２ライン期間（０．５  Ｈ）に時間軸圧縮した時間軸圧縮映像信号と第２の映像信号の１ライン期間分を略１／２ライン期間に時間軸圧縮した時間軸圧縮映像信号とを合成して形成したものとされることが必要とされる。
【０００４】
斯かる二画面画像表示用映像信号を得るには、例えば、映像信号の１ライン期間分の書込み及び読出しが可能とされるラインメモリを用いて、第１の映像信号を、その各ライン期間分が略１／２ライン期間に時間軸圧縮されるように処理することにより、第１の時間軸圧縮映像信号を得るとともに、映像信号の１フィールド期間（１Ｖ）分が２個（奇数フィールド期間分と偶数フィールド期間分）連なって形成される１フレーム期間（２Ｖ）分の書込み及び読出しが可能とされるフレームメモリを用いて、第２の映像信号を、その各フレーム期間毎に、各ライン期間分が略１／２ライン期間に時間軸圧縮されるように処理することにより、第２の時間軸圧縮映像信号を得て、第１の時間軸圧縮映像信号と第２の時間軸圧縮映像信号とを合成する手法がとられる。
【０００５】
そして、第１の時間軸圧縮映像信号を得るにあたっては、ラインメモリに第１の映像信号を１ライン期間分ずつ順次書き込むとともに、ラインメモリから、書き込まれた各１ライン期間分の映像信号を、略１／２ライン期間に相当する読出し時間をもって読み出すようにし、その際、読出し時間をその開始時点が、第１の映像信号の１ライン期間分の書込み時間の終了時点と一致するように選定する。即ち、図４（横軸：時間，縦軸：ラインメモリ・アドレス）において破線により示される如くに、第１の映像信号の各ライン期間分が順次ラインメモリに書き込まれるとともに、図４において実線により示される如くにして、書き込まれた各ライン期間分が読み出される。この図４において実線により示される各ライン期間分の読出しは、当該ライン期間分の書き込みが終了した時点で開始され、書込み速度の略２倍の速度をもって行われて、実質的に当該ライン期間分の全体の書き込みが終了した時点より略１／２ライン期間後において終了する。従って、ラインメモリからの各ライン期間分の読出しは、略１／２ライン期間に相当する時間ずつ、略１／２ライン期間に相当する間隔をおいて、間欠的に行われることになる。それにより、ラインメモリから第１の時間軸圧縮映像信号が得られる。
【０００６】
また、第２の時間軸圧縮映像信号を得るにあたっては、フレームメモリに、第２の映像信号の各フレーム期間分を形成する奇数フィールド期間分と偶数フィールド期間分とを順次書き込む。そして、フレームメモリから、それに書き込まれた第２の映像信号の各フレーム期間分に含まれる各ライン期間分の映像信号を、略１／２ライン期間に相当する読出し時間をもって読み出すようにする。それにより、フレームメモリから、第２の映像信号の各フレーム期間分についての時間軸圧縮映像信号が、第２の時間軸圧縮映像信号として得られる。
【０００７】
このようにして、ラインメモリから得られる第１の時間軸圧縮映像信号とフレームメモリから得られる第２の時間軸圧縮映像信号とが、例えば、第１の時間軸圧縮映像信号における各１／２ライン期間分に第２の時間軸圧縮映像信号における各１／２ライン期間分が夫々連結されることによって各ライン期間分が形成されるようにして合成される。それにより、各ライン期間分が、その前半が第１の映像信号に基づく第１の時間軸圧縮映像信号とされるとともに、その後半が第２の映像信号に基づく第２の時間軸圧縮映像信号とされて成る、二画面画像表示用映像信号が形成される。
【０００８】
斯かるもとで、第１の映像信号と第２の映像信号とが、互いに独立のものであって相互同期状態にないことから、二画面画像表示用映像信号の形成に際して、第１の時間軸圧縮映像信号と第２の時間軸圧縮映像信号との同期状態が問題となる。そこで、例えば、第１の映像信号についてのラインメモリへの書込みが、第１の映像信号に含まれる同期信号に基づいて形成されるタイミング信号に従って行われるとともに、第２の映像信号についてのフレームメモリへの書込みが、第２の映像信号に含まれる同期信号に基づいて形成されるタイミング信号に従って行われ、それに対して、ラインメモリからの第１の映像信号の各ライン期間分についての読出し、及び、フレームメモリからの第２の映像信号の各フレーム期間分についての読出しが、いずれも、第１の映像信号に含まれる同期信号に基づいて形成されるタイミング信号に従って行われるようにされて、ラインメモリから得られる第１の時間軸圧縮映像信号とフレームメモリから得られる第２の時間軸圧縮映像信号とが相互同期状態におかれる。
【０００９】
【発明が解決しようとする課題】
上述の如くにして二画面画像表示用映像信号が形成されるにあたっては、フレームメモリにおいて、第２の映像信号の各フレーム期間分毎の書込みは、その第２の映像信号に含まれる同期信号に基づいて形成されるタイミング信号に従って行われるが、書き込まれた各フレーム期間分に含まれるライン期間分についての読出しが、ラインメモリへの書込みがなされる第１の映像信号に含まれる同期信号に基づいて形成されるタイミング信号に従って行われる。従って、第１の映像信号がインターレース方式に基づく映像信号（インターレース信号）でないノンインターレース信号であり、第２の映像信号がインターレース信号であるときには、フレームメモリにおいて、それに書き込まれたインターレース信号である第２の映像信号の各フレーム期間分に含まれるライン期間分についての読出しが、ノンインターレース信号である第１の映像信号に含まれる同期信号に基づいて形成されるタイミング信号に従って行われることになる。
【００１０】
斯かる際、ノンインターレース信号である第１の映像信号は、各フレーム期間分を形成する２フィールド期間分は、インターレース信号である第２の映像信号の各フレーム期間分を形成する奇数フィールド期間分及び偶数フィールド期間分に見られる如くの同期関係上の相違がなく、同期条件が同一のものとされている。それゆえ、このようなノンインターレース信号である第１の映像信号に含まれる同期信号に基づいて形成される、フレームメモリからそれに書き込まれたインターレース信号である第２の映像信号の各フレーム期間分に含まれるライン期間分を読み出すためのタイミング信号は、第１の映像信号における各フィールド期間毎に同じものとされて得られる。
【００１１】
その結果、フレームメモリからそれに書き込まれたインターレース信号である第２の映像信号の各フレーム期間分に含まれるライン期間分の読出しは、ノンインターレース信号である第１の映像信号に含まれる同期信号に基づいて形成されるタイミング信号により、フレームメモリに書き込まれた第２の映像信号の各フレーム期間分を形成する２フィールド期間分のうちの一方に含まれるライン期間分が、繰り返して読み出される状態のもとで行われて、フレームメモリに書き込まれた第２の映像信号の各フレーム期間分を形成する２フィールド期間分のうちの他方に含まれるライン期間分については、読出しが行われないことになる。
【００１２】
即ち、フレームメモリに、第２の映像信号の各フレーム期間分が、それに含まれる各ライン期間分の書込みが、例えば、図５（横軸：時間，縦軸：フレームメモリ・ラインアドレス）において破線により示される如くに、ラインアドレスの０〜Ａｆ（Ａｆは１フレーム期間内のライン期間の数に相当する）に対応するメモリ領域が用いられて書き込まれるととともに、フレームメモリからの、それに書き込まれた第２の映像信号の各フレーム期間分に含まれる各ライン期間分の読出しが、図５において実線により示される如くに、ラインアドレスの０〜Ａｆ／２（Ａｆは１／２フレーム期間、即ち、１フィールド期間内のライン期間の数に相当する）に対応するメモリ領域を読出し対象として、２度繰り返して行われる。従って、この場合には、フレームメモリに書き込まれた第２の映像信号の各フレーム期間分に含まれる各ライン期間分のうちの、奇数フィールド期間分に含まれるもののみが２度繰り返して読み出され、偶数フィールド期間分に含まれるものは読み出されない。
【００１３】
それゆえ、フレームメモリから得られる第２の時間軸圧縮映像信号が、第２の映像信号の各フレーム期間分を形成する奇数フィールド期間分及び偶数フィールド期間分のうちの奇数フィールド期間分のみに基づくものとなってしまい、斯かる第２の時間軸圧縮映像信号を含む二画面画像表示用映像信号に基づいて画像表示装置により表示される二画面画像のうちの、第２の時間軸圧縮映像信号に基づく画像が、動きが不自然なものとなってしまう虞がある。
【００１４】
斯かる点に鑑み、本発明は、ラインメモリ部を用いて、第１の映像信号をその各ライン期間分が略１／２ライン期間に時間軸圧縮されたものとなすことにより、第１の時間軸圧縮映像信号を得るとともに、第１の映像信号に含まれる同期信号を基準タイミングを設定するものとしたもとで、フレームメモリ部を用いて第２の映像信号をその各フレーム期間毎に各ライン期間分が略１／２ライン期間に時間軸圧縮されたものとなすことにより、第２の時間軸圧縮映像信号を得て、第１の時間軸圧縮映像信号と第２の時間軸圧縮映像信号とを合成することにより表示用映像信号を得るにあたり、第１の映像信号がノンインターレース信号であって第２の映像信号がインターレース信号である場合においても、表示用映像信号を、それに基づいて画像表示部により表示される二画面画像のいずれもが、動きが不自然な画像とされないものとなすことができる映像信号処理回路さらには画像表示装置を提供する。
【００１５】
【課題を解決するための手段】
本発明に係る映像信号処理回路は、第１の映像信号の各ライン期間分についての第１の映像信号の１／２ライン期間に相当する時間内での時間軸圧縮読出しがなされて形成される第１の１／２ライン期間分の映像信号が順次間欠的に得られるラインメモリ部と、第２の映像信号の連続する奇数フィールド期間分及び偶数フィールド期間分で成る各フレーム期間に含まれるライン期間分についての第１の映像信号の１／２ライン期間に相当する時間内での時間軸圧縮読出しがなされて形成される第２の１／２ライン期間分の映像信号が、第１の映像映像信号における同期信号に同期したタイミングをもって順次間欠的に得られるフレームメモリ部と、ラインメモリ部から得られる第１の１／２ライン期間分の映像信号とフレームメモリ部から得られる第２の１／２ライン期間分の映像信号とを交互に取り出して、表示用映像信号を形成する信号選択部とが備えられたもとで、第１の映像信号がノンインターレース信号であって第２の映像信号がインターレス信号であるとき、フレームメモリ部における第２の映像信号の各奇数フィールド期間分に含まれるライン期間分についての第１の映像信号の１／２ライン期間に相当する時間内での時間軸圧縮読出しが、第２の映像信号の当該奇数フィールド期間分がフレームメモリ部に書き込まれるフィールド期間もしくは次のフィールド期間において開始されるとともに、フレームメモリ部における第２の映像信号の各偶数フィールド期間分に含まれるライン期間分についての第１の映像信号の１／２ライン期間に相当する時間内での時間軸圧縮読出しが、第２の映像信号の当該偶数フィールド期間分がフレームメモリ部に書き込まれるフィールド期間もしくは次のフィールド期間において開始される状態となす書込み−読出しタイミング制御手段を備えて構成される。
また、本発明に係る画像表示装置は、第１の映像信号の各ライン期間分についての第１の映像信号の１／２ライン期間に相当する時間内での時間軸圧縮読出しがなされて形成される第１の１／２ライン期間分の映像信号が順次間欠的に得られるラインメモリ部と、第２の映像信号の連続する奇数フィールド期間分及び偶数フィールド期間分で成る各フレーム期間に含まれるライン期間分についての第１の映像信号の１／２ライン期間に相当する時間内での時間軸圧縮読出しがなされて形成される第２の１／２ライン期間分の映像信号が、第１の映像映像信号における同期信号に同期したタイミングをもって順次間欠的に得られるフレームメモリ部と、ラインメモリ部から得られる第１の１／２ライン期間分の映像信号とフレームメモリ部から得られる第２の１／２ライン期間分の映像信号とを交互に取り出して、表示用映像信号を形成する信号選択部と、信号選択部から得られる表示用映像信号に応じて、第１及び第２の映像信号の各々があらわす画像に夫々対応する二画面画像表示を表示する二画面画像表示部とが備えられたもとで、第１の映像信号がノンインターレース信号であって第２の映像信号がインターレス信号であるとき、フレームメモリ部における第２の映像信号の各奇数フィールド期間分に含まれるライン期間分についての第１の映像信号の１／２ライン期間に相当する時間内での時間軸圧縮読出しが、第２の映像信号の当該奇数フィールド期間分がフレームメモリ部に書き込まれるフィールド期間もしくは次のフィールド期間において開始されるとともに、フレームメモリ部における第２の映像信号の各偶数フィールド期間分に含まれるライン期間分についての第１の映像信号の１／２ライン期間に相当する時間内での時間軸圧縮読出しが、第２の映像信号の当該偶数フィールド期間分がフレームメモリ部に書き込まれるフィールド期間もしくは次のフィールド期間において開始される状態となす書込み−読出しタイミング制御手段を備えて構成される。
【００１６】
上述の如くに構成される本発明に係る映像信号処理回路及び画像表示装置の夫々にあっては、フレームメモリ部において、インターレース信号とされた第２の映像信号の連続する奇数フィールド期間分及び偶数フィールド期間分で成る各フレーム期間に含まれるライン期間分が全体的に書き込まれるとともに、書き込まれたライン期間分についての第１の映像信号の１／２ライン期間に相当する時間内での時間軸圧縮読出しが、ノンインターレース信号とされた第１の映像信号における同期信号に同期したタイミングをもって行われるにあたり、書込み−読出しタイミング制御手段により、第１の映像信号がノンインターレース信号であって第２の映像信号がインターレス信号であるとき、フレームメモリ部における第２の映像信号の各奇数フィールド期間分に含まれるライン期間分についての第１の映像信号の１／２ライン期間に相当する時間内での時間軸圧縮読出しが、第２の映像信号の当該奇数フィールド期間分がフレームメモリ部に書き込まれるフィールド期間もしくは次のフィールド期間において開始されるとともに、フレームメモリ部における第２の映像信号の各偶数フィールド期間分に含まれるライン期間分についての第１の映像信号の１／２ライン期間に相当する時間内での時間軸圧縮読出しが、第２の映像信号の当該偶数フィールド期間分がフレームメモリ部に書き込まれるフィールド期間もしくは次のフィールド期間において開始される。
【００１７】
従って、フレームメモリ部から順次間欠的に得られる第２の１／２ライン期間分の映像信号が、第２の映像信号の各フレーム期間分を形成する奇数フィールド期間分及び偶数フィールド期間分の夫々に含まれるライン期間分に基づくものとなり、斯かる第２の１／２ライン期間分の映像信号を含むものとして信号選択部から得られる表示用映像信号が、それに基づいて二画面画像表示部により二画面画像が表示されるとき、その二画面画像のうちの第２の１／２ライン期間分の映像信号に基づく画像が、動きが不自然なものとされることなく、適正に得られることになる。
【００１８】
書込み−読出しタイミング制御手段は、具体的には、例えば、フレームメモリ部における第２の映像信号の連続する奇数フィールド期間分及び偶数フィールド期間分で成る各フレーム期間分についての書込みを制御するフレームメモリ書込み制御信号を、フレームメモリ部に供給する第１のタイミング信号形成部と、フレームメモリ部における第２の映像信号の各フレーム期間分を形成する奇数フィールド期間分及び偶数フィールド期間分の夫々に含まれるライン期間分の読出しを制御するフレームメモリ読出し制御信号を、フレームメモリ部に供給する第２のタイミング信号形成部とによって形成される。
【００１９】
【発明の実施の形態】
図１は、本発明に係る映像信号処理回路の例を含んだ本発明に係る画像表示装置の一例を示す。
【００２０】
図１に示される例においては、映像信号入力端子１１及び１２に、互いに独立した二つの映像信号ＳＶＮ及びＳＶＩが夫々供給される。映像信号ＳＶＩは、各フレーム期間を形成する２フィールド期間（奇数フィールド期間と偶数フィールド期間）がインターレースの関係におかれるインターレース信号であり、一方、映像信号ＳＶＮは、各フレーム期間を形成する２フィールド期間が、インターレースの関係におかれず、同一のタイミング状態にあるものとされるノンインターレース信号である。
【００２１】
映像信号入力端子１１に供給された映像信号ＳＶＮは、アナログ／ディジタル変換部（Ａ／Ｄ変換部）１３においてディジタル化され、ディジタル映像信号ＤＶＮとされてラインメモリ部１４に供給される。また、映像信号入力端子１２に供給された映像信号ＳＶＩは、Ａ／Ｄ変換部１５においてディジタル化され、ディジタル映像信号ＤＶＩとされてフレームメモリ部１６に供給される。
【００２２】
また、映像信号入力端子１１からの映像信号ＳＶＮが、同期信号分離部１７に供給されるとともに、映像信号入力端子１２からの映像信号ＳＶＩが、同期信号分離部１８に供給される。同期信号分離部１７においては、映像信号ＳＶＮからそれに含まれる水平同期信号（ライン同期信号）ＰＨＮ及び垂直同期信号（フィールド同期信号）ＰＶＮが分離され、それらがタイミング信号形成部２０に供給される。同様に、同期信号分離部１８においては、映像信号ＳＶＩからそれに含まれる水平同期信号ＰＨＩ及び垂直同期信号ＰＶＩが分離され、それらがタイミング信号形成部２１に供給される。
【００２３】
タイミング信号形成部２０には、端子２２を通じて、映像信号入力端子１１からの映像信号ＳＶＮがノンインターレース信号であって映像信号入力端子１２からの映像信号ＳＶＩがインターレース信号であることをあらわす指示信号ＳＮＩも供給される。そして、タイミング信号形成部２０にあっては、同期信号分離部１７からの水平同期信号ＰＨＮ及び垂直同期信号ＰＶＮに同期するものとされる、ラインメモリ部１４に対する書込み用タイミング信号ＷＬ及び読出し用タイミング信号ＲＬ，フレームメモリ部１６に対する読出し用タイミング信号ＲＦ、及び、選択制御信号ＳＳが形成される。その際、フレームメモリ部１６に対する読出し用タイミング信号ＲＦは、映像信号ＳＶＮがノンインターレース信号であって映像信号ＳＶＩがインターレース信号であることをあらわす指示信号ＳＮＩに応じて、フレームメモリ部１６の全体からそれに書き込まれた信号についての時間軸圧縮読出しを行うためのものとされる。
【００２４】
また、タイミング信号形成部２１にあっては、同期信号分離部１８からの水平同期信号ＰＨＩ及び垂直同期信号ＰＶＩに同期するものとされる、フレームメモリ部１６に対する書込み用タイミング信号ＷＦが形成される。
【００２５】
Ａ／Ｄ変換部１３からのディジタル映像信号ＤＶＮが供給されるラインメモリ部１４においては、タイミング信号形成部２０からの書込み用タイミング信号ＷＬ及び読出し用タイミング信号ＲＬが供給され、書込み用タイミング信号ＷＬに応じて、ディジタル映像信号ＤＶＮが１ライン期間分ずつ順次書き込まれるとともに、読出し用タイミング信号ＲＬに応じて、書き込まれた各ライン期間分の映像信号が、略１／２ライン期間に相当する読出し時間をもって時間軸圧縮されて読み出される。タイミング信号形成部２０からの書込み用タイミング信号ＷＬ及び読出し用タイミング信号ＲＬの夫々は、略１／２ライン期間に相当する読出し時間の開始時点が、その読出し時間において読み出されるディジタル映像信号ＤＶＮの１ライン期間分についての書込み時間の終了時点と一致することになる状態を設定するものとされる。
【００２６】
従って、ラインメモリ部１４におけるディジタル映像信号ＤＶＮについての書込み及び時間軸圧縮読出しは、前述の図４において破線により示される如くに、ディジタル映像信号ＤＶＮの各ライン期間分が順次書き込まれるとともに、図４において実線により示される如くにして、書き込まれた各ライン期間分が時間軸圧縮されて読み出される状態のもとに行われる。即ち、ディジタル映像信号ＤＶＮの各ライン期間分の時間軸圧縮読出しが、当該ライン期間分の全部が書き込まれた時点で開始され、書込み速度の略２倍の速度をもって行われて、開始後略１／２ライン期間が経過した時点において終了するようにされ、その結果、ラインメモリ部１４からの各ライン期間分の時間軸圧縮読出しは、略１／２ライン期間に相当する時間ずつ、略１／２ライン期間に相当する間隔をおいて、間欠的に行われることになり、ラインメモリ部１４から、ディジタル映像信号ＤＶＮの各ライン期間分が略１／２ライン期間に相当する時間内のディジタル映像信号に時間軸圧縮されて形成される１／２ライン期間ディジタル映像信号ＤＸＮが、順次間欠的に得られる。
【００２７】
また、Ａ／Ｄ変換部１５からのディジタル映像信号ＤＶＩが供給されるフレームメモリ部１６には、タイミング信号形成部２１からの書込み用タイミング信号ＷＦと、タイミング信号形成部２０からの読出し用タイミング信号ＲＦとが供給される。それにより、フレームメモリ部１６においては、書込み用タイミング信号ＷＦに応じて、ディジタル映像信号ＤＶＩにおける各フレーム期間分を形成する奇数フィールド期間分及び偶数フィールド期間分の各々が、それに含まれる複数のライン期間分の各々ずつ順次書き込まれるとともに、読出し用タイミング信号ＲＦに応じて、先ず、書き込まれた奇数フィールド期間分に含まれる各ライン期間分が、映像信号ＳＶＮにおける略１／２ライン期間に相当する読出し時間をもって時間軸圧縮されて読み出され、続いて、書き込まれた偶数フィールド期間分に含まれる各ライン期間分が、映像信号ＳＶＮにおける略１／２ライン期間に相当する読出し時間をもって時間軸圧縮されて読み出される。即ち、書き込まれた奇数フィールド期間分及び偶数フィールド期間分の各々に含まれる各ライン期間分についての時間軸圧縮読出しが順次行われるのである。
【００２８】
斯かる場合、タイミング信号形成部２１からの書込み用タイミング信号ＷＦが、例えば、図２のＡ及びＢに示される如くに、奇数フィールド書込み信号ＷＦＯと偶数フィールド書込み信号ＷＦＥとから成るものとされ、また、タイミング信号形成部２０からの読出し用タイミング信号ＲＦが、例えば、図２のＣ及びＤに示される如くに、奇数フィールド読出し信号ＲＦＯと偶数フィールド読出し信号ＲＦＥとからなるものとされる。そして、ディジタル映像信号ＤＶＩにおける各フレーム期間分を形成する奇数フィールド期間分及び偶数フィールド期間分の各々に含まれる各ライン期間分のフレームメモリ部１６への書込みが、例えば、奇数フィールド書込み信号ＷＦＯ及び偶数フィールド書込み信号ＷＦＥの高レベル部に応答して行われ、また、フレームメモリ部１６からの、それに書き込まれた奇数フィールド期間分に含まれる各ライン期間分及び偶数フィールド期間分に含まれる各ライン期間分についての時間軸圧縮読出しが、例えば、奇数フィールド読出し信号ＲＦＯ及び偶数フィールド読出し信号ＲＦＥの高レベル部に応答して行われる。
【００２９】
従って、フレームメモリ部１６においては、ディジタル映像信号ＤＶＩにおける各フレーム期間分を形成する奇数フィールド期間分及び偶数フィールド期間分の各々に含まれる各ライン期間分についての書込みが、例えば、図３（横軸：時間，縦軸：フレームメモリ・ラインアドレス）において破線により示される如くに、ラインアドレスの０〜Ａｆ’（Ａｆ’は１フレーム期間内のライン期間の数に相当する）に対応するメモリ領域が用いられて順次行われるとともに、書き込まれたディジタル映像信号ＤＶＩにおける各フレーム期間分を形成する奇数フィールド期間分及び偶数フィールド期間分の各々に含まれる各ライン期間分についての時間軸圧縮読出しが、図３において実線により示される如くに、ラインアドレスの０〜Ａｆ’に対応するメモリ領域を読出し対象として行われる。従って、この場合、フレームメモリ部１６に書き込まれたディジタル映像信号ＤＶＩにおける各フレーム期間分を形成する奇数フィールド期間分及び偶数フィールド期間分の各々に含まれる各ライン期間分が全て時間軸圧縮されて読み出されることになる。
【００３０】
その結果、フレームメモリ部１６から、ディジタル映像信号ＤＶＩにおける各フレーム期間分を構成する奇数フィールド期間分及び偶数フィールド期間分の夫々に含まれる各ライン期間分が、映像信号ＳＶＮにおける略１／２ライン期間に相当する時間内のディジタル映像信号に時間軸圧縮されて形成されることになる１／２ライン期間ディジタル映像信号ＤＸＩが、順次間欠的に得られる。
【００３１】
ラインメモリ部１４から得られる１／２ライン期間ディジタル映像信号ＤＸＮは、信号選択部２５の選択接点２５Ａに供給され、また、フレームメモリ部１６から得られる１／２ライン期間ディジタル映像信号ＤＸＩは、信号選択部２５の選択接点２５Ｃに供給される。さらに、信号選択部２５における選択接点２５Ａと選択接点２５Ｃとの間に設けられた選択接点２５Ｂには、画像ミュート信号発生部２４からのディジタル画像ミュート信号ＤＭが供給される。
【００３２】
信号選択部２５は、タイミング信号形成部２０からの、映像信号ＳＶＮから分離された水平同期信号ＰＨＮ及び垂直同期信号ＰＶＮに同期した選択制御信号ＳＳが供給されて、その信号選択動作が選択制御信号ＳＳにより制御される。それにより、信号選択部２５にあっては、可動接点２５Ｄが、映像信号ＳＶＮの各ライン期間に相当する時間内において、選択接点２５Ａとの接続，選択接点２５Ｂとの接続、及び、選択接点２５Ｃとの接続が順次なされる状態が、繰り返される。その際、可動接点２５Ｄが選択接点２５Ａに接続される状態及び可動接点２５Ｄが選択接点２５Ｃに接続される状態が、夫々、映像信号ＳＶＮにおける１／２ライン期間より若干短い時間継続され、可動接点２５Ｄが選択接点２５Ｂに接続される状態は、極めて短時間とられるに過ぎないようにされる。
【００３３】
それにより、信号選択部２５においては、映像信号ＳＶＮにおける各フレーム期間に対応して、選択接点２５Ａに供給される１／２ライン期間ディジタル映像信号ＤＸＮが、映像信号ＳＶＮにおける１／２ライン期間より若干短い時間をもって可動接点２５Ｄに取り出され、次に、選択接点２５Ｂに供給されるディジタル画像ミュート信号ＤＭが、極めて短時間をもって可動接点２５Ｄに取り出され、それに続いて、選択接点２５Ｃに供給される１／２ライン期間ディジタル映像信号ＤＸＩが、映像信号ＳＶＮにおける１／２ライン期間より若干短い時間をもって可動接点２５Ｄに取り出される状態が、映像信号ＳＶＮにおける各ライン期間に対応する時間毎にとられる。従って、信号選択部２５の可動接点２５Ｄから、１／２ライン期間ディジタル映像信号ＤＸＮ，ディジタル画像ミュート信号ＤＭ、及び、１／２ライン期間ディジタル映像信号ＤＸＩが、１ライン期間分のディジタル映像信号を形成するものとして順次送出される状態が繰り返され、順次送出される１ライン期間分のディジタル映像信号によって１フレーム期間分のディジタル映像信号が得られる。
【００３４】
可動接点２５Ｄから得られる１／２ライン期間ディジタル映像信号ＤＸＮ，ディジタル画像ミュート信号ＤＭ及び１／２ライン期間ディジタル映像信号ＤＸＩにより各ライン期間分が形成されて成る１フレーム期間分のディジタル映像信号は、ディジタル／アナログ変換部（Ｄ／Ａ変換部）２６に供給されて、アナログ化が施され、二画面画像表示用映像信号ＳＺとされる。
【００３５】
このようにして、Ｄ／Ａ変換部２６から得られる二画面画像表示用映像信号ＳＺは、低域通過フィルタ（ＬＰＦ）２７を通じてノイズ成分が除去された後、二画面画像表示部２８に供給される。二画面画像表示部２８は、ライン走査とフィールド走査とが行われる画像表示面を有したものとされ、その画像表示面に、映像信号ＳＶＮがあらわす画像の画面と映像信号ＳＶＩがあらわす画像の画面とが、垂直方向に伸びる境界線を成す、ディジタル画像ミュート信号ＤＭに基づく画像ミュート部を挾んで、左右方向に相互隣接配置されるものとして形成される。即ち、二画面画像表示部２８において、二画面画像表示用映像信号ＳＺに基づく二画面画像表示が行われるのであり、ディジタル画像ミュート信号ＤＭに基づく縦線状画像ミュート部により区画された二画面のうちの一方に映像信号ＳＶＮがあらわす画像が表示されるとともに、二画面のうちの他方に映像信号ＳＶＩがあらわす画像が表示される状態がとられる。
【００３６】
その際、フレームメモリ部１６から得られる１／２ライン期間ディジタル映像信号ＤＸＩが、ディジタル映像信号ＤＶＩにおける各フレーム期間分を構成する奇数フィールド期間分及び偶数フィールド期間分の夫々に基づくものとされることにより、その１／２ライン期間ディジタル映像信号ＤＸＩを含むものとして信号選択部２５から得られるディジタル映像信号に基づいて形成される二画面画像表示用映像信号ＳＺに応じて二画面画像表示部２８により表示される二画面画像のうちの、１／２ライン期間ディジタル映像信号ＤＸＩに基づく画像が、動きが不自然なものとされることなく、適正に得られることになる。
【００３７】
タイミング信号形成部２０は、映像信号ＳＶＮがノンインターレース信号であって映像信号ＳＶＩがインターレース信号であるとき、映像信号ＳＶＮにおける同期信号に同期した読出し用タイミング信号ＲＦを形成する奇数フィールド読出し信号ＲＦＯ及び偶数フィールド読出し信号ＲＦＥを、フレームメモリ部１６の全体からそれに書き込まれたディジタル映像信号ＤＶＩの各フレーム期間に含まれる全ライン期間分についての時間軸圧縮読出しを行うためのものとして形成し、その奇数フィールド読出し信号ＲＦＯ及び偶数フィールド読出し信号ＲＦＥをフレームメモリ部１６に供給する読出し制御手段を形成していることになる。
【００３８】
斯かるもとで、タイミング信号形成部２１から、それに内蔵された、書込み用タイミング信号ＷＦの形成に用いられるフレームメモリ・ライン内アドレス・カウンタから得られる、フレームメモリ部１６における書込みライン内アドレス位置をあらわす書込み位置信号ＡＷが送出されるとともに、タイミング信号形成部２０から、それに内蔵された、読出し用タイミング信号ＲＬ及びＲＦの形成に用いられるフレームメモリ・ライン内アドレス・カウンタから得られる、フレームメモリ部１６における読出しライン内アドレス位置をあらわす読出し位置信号ＡＲが送出される。これら、書込み位置信号ＡＷ及び読出し位置信号ＡＲは、追越状態検出部３０に供給される。
【００３９】
追越状態検出部３０にあっては、書込み位置信号ＡＷがあらわすフレームメモリ部１６における書込みライン内アドレス位置と、読出し位置信号ＡＲがあらわすフレームメモリ部１６における読出しライン内アドレス位置とが比較されることにより、フレームメモリ部１６において、ディジタル映像信号ＤＶＩの各ライン期間分についての時間軸圧縮読出しが行われるにあたり、読出しライン内アドレス位置が書込みライン内アドレス位置を追い越してしまうことになる追越読出し状態の検出がなされる。そして、追越状態検出部３０による追越読出し状態の検出がなされると、追越読出し検出出力信号ＣＷが、追越状態検出部３０からタイミング信号形成部２１に供給され、タイミング信号形成部２１において、フレームメモリ部１６に供給される書込み用タイミング信号ＷＦを形成する、奇数フィールド書込み信号ＷＦＯ及び偶数フィールド書込み信号ＷＦＥの送出に関するタイミング調整が、追越読出し検出出力信号ＣＷに応じて行われる。
【００４０】
このようなもとで、タイミング信号形成部２１からの書込み用タイミング信号ＷＦを形成する奇数フィールド書込み信号ＷＦＯ及び偶数フィールド書込み信号ＷＦＥの各々は、同期信号分離部１８において映像信号ＳＶＩから分離された垂直同期信号ＰＶＩに同期して形成され、図２のＡ及びＢに示される如く、奇数フィールド書込み信号ＷＦＯが、映像信号ＳＶＩにおける奇数フィールド期間毎に高レベルをとるとともに、映像信号ＳＶＩにおける偶数フィールド期間毎に低レベルをとって、高レベルをとるとき、フレームメモリ部１６に書込み状態をとらせ、一方、偶数フィールド書込み信号ＷＦＥが、映像信号ＳＶＩにおける偶数フィールド期間毎に高レベルをとるとともに、映像信号ＳＶＩにおける奇数フィールド期間毎に低レベルをとって、高レベルをとるとき、フレームメモリ部１６に書込み状態をとらせる。また、タイミング信号形成部２０からの読出し用タイミング信号ＲＦを形成する奇数フィールド読出し信号ＲＦＯ及び偶数フィールド読出し信号ＲＦＥの各々は、図２のＣ及びＤに示される如く、同期信号分離部１７において映像信号ＳＶＮから分離された垂直同期信号ＰＶＮに同期して、映像信号ＳＶＮにおけるフィールド期間毎に高レベルと低レベルとを交互にとるものとして形成され、高レベルをとるとき、フレームメモリ部１６に読出し状態をとらせるものとされる。
【００４１】
そして、フレームメモリ部１６の夫々において追越読出し状態が生じていない状態のもとでは、タイミング信号形成部２１からの書込み用タイミング信号ＷＦを形成する奇数フィールド書込み信号ＷＦＯ及び偶数フィールド書込み信号ＷＦＥ、及び、タイミング信号形成部２０からの読出し用タイミング信号ＲＦを形成する奇数フィールド読出し信号ＲＦＯ及び偶数フィールド読出し信号ＲＦＥは、夫々、図２における時点ｔｘ以前のものとして示される如くの状態にある。
【００４２】
図２における時点ｔｘ以前においては、図２のＡに示される如く、奇数フィールド書込み信号ＷＦＯが、映像信号ＳＶＩにおける各奇数フィールド期間に対応して高レベルをとるとともに映像信号ＳＶＩにおける各偶数フィールド期間に対応して低レベルをとるものとされ、また、図２のＢに示される如く、偶数フィールド書込み信号ＷＦＥが、映像信号ＳＶＩにおける各奇数フィールド期間に対応して低レベルをとるとともに映像信号ＳＶＩにおける各偶数フィールド期間に対応して高レベルをとるものとされる。また、このとき、図２のＣ及びＤに示される如く、奇数フィールド読出し信号ＲＦＯ及び偶数フィールド読出し信号ＲＦＥの各々が、映像信号ＳＶＮにおけるフィールド期間毎に高レベルと低レベルとを交互にとるとともに、奇数フィールド読出し信号ＲＦＯが高レベルをとるとき、偶数フィールド読出し信号ＲＦＥが低レベルをとり、奇数フィールド読出し信号ＲＦＯが低レベルをとるとき、偶数フィールド読出し信号ＲＦＥが高レベルをとるものとされる。
【００４３】
従って、図２における時点ｔｘ以前にあっては、フレームメモリ部１６において、ディジタル映像信号ＤＶＩの各奇数フィールド期間分に含まれる各ライン期間分についての書込みが、奇数フィールド書込み信号ＷＦＯの高レベル部分に応じて順次行われるとともに、順次書き込まれていく各ライン期間分についての読出しが、奇数フィールド読出し信号ＲＦＯの高レベル部分に応じて順次行われ、また、ディジタル映像信号ＤＶＩの各偶数フィールド期間分に含まれる各ライン期間分についての書込みが、偶数フィールド書込み信号ＷＦＥの高レベル部分に応じて順次行われるとともに、順次書き込まれていく各ライン期間分についての読出しが、偶数フィールド読出し信号ＲＦＥの高レベル部分に応じて順次行われる。
【００４４】
斯かるもとで、図２における時点ｔｘから時点ｔｙまでの期間において、その全期間を通じて、追越状態検出部３０により追越読出し状態が検出され、追越読出し検出出力信号ＣＷが、追越状態検出部３０からタイミング信号形成部２１に供給されるとする。このとき、追越状態検出部３０からの追越読出し検出出力信号ＣＷが供給されるタイミング信号形成部２１においては、追越読出し検出出力信号ＣＷの供給開始に応じて、奇数フィールド書込み信号ＷＦＯ及び偶数フィールド書込み信号ＷＦＥの夫々における、高レベルをとる期間と低レベルをとる期間とが反転せしめられ、その後、時点ｔｙまでの期間中、反転せしめられた状態が維持される。
【００４５】
即ち、図２における時点ｔｘから時点ｔｙまでの期間においては、図２のＡに示される如く、奇数フィールド書込み信号ＷＦＯが、映像信号ＳＶＩにおける各偶数フィールド期間に対応して高レベルをとるとともに映像信号ＳＶＩにおける各奇数フィールド期間に対応して低レベルをとるものとされ、また、図２のＢに示される如く、偶数フィールド書込み信号ＷＦＥが、映像信号ＳＶＩにおける各偶数フィールド期間に対応して低レベルをとるとともに映像信号ＳＶＩにおける各奇数フィールド期間に対応して高レベルをとるものとされる。一方、図２のＣ及びＤに示される如く、奇数フィールド読出し信号ＲＦＯ及び偶数フィールド読出し信号ＲＦＥの夫々は、図２における時点ｔｘ以前と同じ状態におかれ、各々が映像信号ＳＶＮにおけるフィールド期間毎に高レベルと低レベルとを交互にとるとともに、奇数フィールド読出し信号ＲＦＯが高レベルをとるとき、偶数フィールド読出し信号ＲＦＥが低レベルをとり、奇数フィールド読出し信号ＲＦＯが低レベルをとるとき、偶数フィールド読出し信号ＲＦＥが高レベルをとるものとされる。
【００４６】
従って、フレームメモリ部１６において追越読出し状態が生じており、その追越読出し状態が追越状態検出部３０によって検出される、図２における時点ｔｘから時点ｔｙまでの期間においては、フレームメモリ部１６において、ディジタル映像信号ＤＶＩの各偶数フィールド期間分に含まれるライン期間分についての書込みが、奇数フィールド書込み信号ＷＦＯの高レベル部分に応じて順次行われるとともに、各偶数フィールド期間分に含まれるライン期間分についての書込みが終了した次のフィールド期間において、書き込まれた偶数フィールド期間分に含まれる各ライン期間分についての時間軸圧縮読出しが、奇数フィールド読出し信号ＲＦＯの高レベル部分に応じて順次行われ、また、ディジタル映像信号ＤＶＩの各奇数フィールド期間分に含まれるライン期間分についての書込みが、偶数フィールド書込み信号ＷＦＥの高レベル部分に応じて順次行われるとともに、各奇数フィールド期間分に含まれるライン期間分についての書込みが終了した次のフィールド期間において、書き込まれた奇数フィールド期間分に含まれる各ライン期間分についての時間軸圧縮読出しが、偶数フィールド読出し信号ＲＦＥの高レベル部分に応じて順次行われる。
【００４７】
このようにしてフレームメモリ部１６から得られる１／２ライン期間ディジタル映像信号ＤＸＩは、実質的に、フレームメモリ部１６において追越読出し状態が生じない状態のもとで得られ、追越読出し状態に起因する不連続点を含まないことになる。従って、斯かる１／２ライン期間ディジタル映像信号ＤＸＩが信号選択部２５の選択接点２５Ｃに供給され、それにより、信号選択部２５の可動接点２５Ｄから得られる１／２ライン期間ディジタル映像信号ＤＸＮ，ディジタル画像ミュート信号ＤＭ及び１／２ライン期間ディジタル映像信号ＤＸＩにより各ライン期間分が形成されて成るフィールド期間分のディジタル映像信号が、Ｄ／Ａ変換部２６に供給されて、二画面画像表示用映像信号ＳＺが形成されるもとにあっては、その二画面画像表示用映像信号ＳＺが二画面画像表示部２８に供給されて、その画像表示面に得られる二画面画像表示が、フレームメモリ部１６における追越読出し状態に起因する表示欠陥が効果的に抑制されたものとされることになる。
【００４８】
その後、図２における時点ｔｙ後となって、フレームメモリ部１６の夫々において追越読出し状態が生じなくなり、追越状態検出部３０から追越読出し検出出力信号ＣＷがタイミング信号形成部２１に供給されなくなると、タイミング信号形成部２１において、奇数フィールド書込み信号ＷＦＯ及び偶数フィールド書込み信号ＷＦＥの夫々における高レベルをとる期間と低レベルをとる期間とが、再度反転せしめられて、時点ｔｘ以前と同じ状態に戻される。
【００４９】
このようなもとで、タイミング信号形成部２１は、タイミング信号形成部２０とともに、追越状態検出部３０によりフレームメモリ部１６における追越読出し状態が検出されないとき、フレームメモリ部１６におけるディジタル映像信号ＤＶＩの各奇数フィールド期間分に含まれるライン期間分についてのディジタル映像信号ＤＶＮの１／２ライン期間に相当する時間内の間欠的読出しが、ディジタル映像信号ＤＶＩの当該奇数フィールド期間分がフレームメモリ部１６に書き込まれるフィールド期間において開始されるとともに、フレームメモリ部１６におけるディジタル映像信号ＤＶＩの各偶数フィールド期間分に含まれるライン期間分についてのディジタル映像信号ＤＶＮの１／２ライン期間に相当する時間内の間欠的読出しが、ディジタル映像信号ＤＶＩの当該偶数フィールド期間分がフレームメモリ部１６に書き込まれるフィールド期間において開始される状態となし、追越状態検出部３０によりフレームメモリ部１６における追越読出し状態が検出されるとき、フレームメモリ部１６におけるディジタル映像信号ＤＶＩの各奇数フィールド期間分に含まれるライン期間分についてのディジタル映像信号ＤＶＮの１／２ライン期間に相当する時間内の間欠的読出しが、ディジタル映像信号ＤＶＩの当該奇数フィールド期間分がフレームメモリ部１６に書き込まれるフィールド期間の次のフィールド期間において開始されるとともに、フレームメモリ部１６におけるディジタル映像信号ＤＶＩの各偶数フィールド期間分に含まれるライン期間分についてのディジタル映像信号ＤＶＮの１／２ライン期間に相当する時間内の間欠的読出しが、ディジタル映像信号ＤＶＩの当該偶数フィールド期間分がフレームメモリ部１６に書き込まれるフィールド期間の次のフィールド期間において開始される状態となす、書込み−読出しタイミング制御手段を形成していることになる。
【００５０】
また、上述の例にあっては、映像信号入力端子１１からの映像信号ＳＶＮがノンインターレース信号であって、映像信号入力端子１２からの映像信号ＳＶＩがインターレース信号であるとき、フレームメモリ部１６から得られる１／２ライン期間ディジタル映像信号ＤＸＩが、ディジタル映像信号ＤＶＩにおける各フレーム期間分を構成する奇数フィールド期間分及び偶数フィールド期間分の夫々に基づくものとなるようにされているが、映像信号ＳＶＮがノンインターレース信号であり、かつ、映像信号ＳＶＩがインターレース信号であっても、映像信号ＳＶＩが静止画像をあらわすものである場合に限って、フレームメモリ部１６から得られる１／２ライン期間ディジタル映像信号ＤＸＩが、ディジタル映像信号ＤＶＩにおける各フレーム期間分を構成する奇数フィールド期間分及び偶数フィールド期間分のうちの一方に基づくものとなるようにされてもよい。
【００５１】
【発明の効果】
以上の説明から明らかな如くに、本発明に係る映像信号処理回路及び画像表示装置の夫々にあっては、フレームメモリ部において、インターレース信号とされた第２の映像信号の連続する奇数フィールド期間分及び偶数フィールド期間分で成る各フレーム期間に含まれるライン期間分が全体的に書き込まれるとともに、書き込まれたライン期間分についての第１の映像信号の１／２ライン期間に相当する時間内での時間軸圧縮読出しが、ノンインターレース信号とされた第１の映像信号における同期信号に同期したタイミングをもって行われるにあたり、書込み−読出しタイミング制御手段により、第１の映像信号がノンインターレース信号であって第２の映像信号がインターレス信号であるとき、フレームメモリ部における第２の映像信号の各奇数フィールド期間分に含まれるライン期間分についての第１の映像信号の１／２ライン期間に相当する時間内での時間軸圧縮読出しが、第２の映像信号の当該奇数フィールド期間分がフレームメモリ部に書き込まれるフィールド期間もしくは次のフィールド期間において開始されるとともに、フレームメモリ部における第２の映像信号の各偶数フィールド期間分に含まれるライン期間分についての第１の映像信号の１／２ライン期間に相当する時間内での時間軸圧縮読出しが、第２の映像信号の当該偶数フィールド期間分がフレームメモリ部に書き込まれるフィールド期間もしくは次のフィールド期間において開始される。
【００５２】
従って、フレームメモリ部から順次間欠的に得られる第２の１／２ライン期間分の映像信号が、第２の映像信号の各フレーム期間分を形成する奇数フィールド期間分及び偶数フィールド期間分の夫々に含まれるライン期間分に基づくものとなり、斯かる第２の１／２ライン期間分の映像信号を含むものとして信号選択部から得られる表示用映像信号が、それに基づいて二画面画像表示部により二画面画像が表示されるとき、その二画面画像のうちの第２の１／２ライン期間分の映像信号に基づく画像が、動きが不自然なものとされることなく、適正に得られることになる。
【図面の簡単な説明】
【図１】本発明に係る映像信号処理回路を含んだ本発明に係る画像表示装置の一例を示すブロック構成図である。
【図２】図１に示される例における動作説明に供される信号波形図である。
【図３】図１に示される例における動作説明に供されるタイムチャートである。
【図４】ラインメモリを用いた映像信号の時間軸圧縮の説明に供されるタイムチャートである。
【図５】フレームメモリを用いた映像信号の時間軸圧縮の説明に供されるタイムチャートである。
【符号の説明】
１１，１２    映像信号入力端子
１３，１５    Ａ／Ｄ変換部
１４    ラインメモリ部
１６    フレームメモリ部
１７，１８    同期信号分離部
２０，２１    タイミング信号形成部
２４    画像ミュート信号発生部
２５    信号選択部
２６    Ｄ／Ａ変換部
２７    ＬＰＦ
２８    二画面画像表示部
３０    追越状態検出部
【図１】
0003617130.tif 000002
【図２】
0003617130.tif 000003
【図３】
0003617130.tif 000004
【図４】
0003617130.tif 000005
【図５】
0003617130.tif 000006